(57)【要約】【課題】外部機器との通信接続前又は接続後に撮像装置で撮影された画像を公開するか非公開にするかを簡単な操作で設定することができる仕組みを提供する。【解決手段】撮像装置１００は、外部機器３００と通信する通信手段（Ｓ４０３）と、複数の起動時刻を保存する保存手段（Ｓ４０１）と、保存手段により保存された起動時刻を表示する表示手段（Ｓ４０２）と、表示手段に表示された起動時刻をユーザ操作により選択する起動時刻選択手段（Ｓ４０２）と、撮影した画像のうち、公開する画像を選択する画像選択手段（Ｓ４０２）と、を備える。画像選択手段は、起動時刻選択手段により選択された起動時刻以降に撮影された画像を外部機器３００で公開する画像として選択し、選択された画像は、通信手段により外部機器３００に送信される。【選択図】図４
2016010044.tif 000002
【特許請求の範囲】
【請求項１】
外部機器と通信する通信手段と、
複数の起動時刻を保存する保存手段と、
前記保存手段により保存された前記起動時刻を表示する表示手段と、
前記表示手段に表示された前記起動時刻をユーザ操作により選択する起動時刻選択手段と、
撮影した画像のうち、公開する画像を選択する画像選択手段と、を備え、
前記画像選択手段は、前記起動時刻選択手段により選択された前記起動時刻に基づき前記公開する画像を選択することを特徴とする撮像装置。
【請求項２】
前記画像選択手段は、前記撮影した画像のうち、前記外部機器に表示する画像を前記公開する画像として選択し、
前記通信手段は、前記画像選択手段で選択された画像を前記外部機器に送信することを特徴とする請求項１に記載の撮像装置。
【請求項３】
前記画像選択手段は、前記起動時刻選択手段により選択された起動時刻以前又は以降に撮影された画像を前記公開する画像として選択することを特徴とする請求項１又は２に記載の撮像装置。
【請求項４】
前記画像選択手段は、前記起動時刻選択手段により選択された起動時刻以降で電源オフするまでの間に撮影された画像を前記公開する画像として選択することを特徴とする請求項１又は２に記載の撮像装置。
【請求項５】
前記起動時刻は、画像を撮影する撮影モードで起動した時刻であることを特徴とする請求項１乃至４のいずれか一項に記載の撮像装置。
【請求項６】
前記起動時刻は、起動してから最初に画像を撮影した時刻であることを特徴とする請求項１乃至５のいずれか一項に記載の撮像装置。
【請求項７】
前記表示手段は、前記起動時刻とともに、起動してから最初に撮影した画像を表示することを特徴とする請求項６記載の撮像装置。
【請求項８】
外部機器と通信する通信手段を備える撮像装置の制御方法であって、
複数の起動時刻を保存する保存ステップと、
前記保存ステップで保存された前記起動時刻を表示する表示ステップと、
前記表示ステップで表示された前記起動時刻をユーザ操作により選択する起動時刻選択ステップと、
撮影した画像のうち、公開する画像を選択する画像選択ステップと、を備え、
前記画像選択ステップは、前記起動時刻選択ステップで選択された前記起動時刻に基づき前記公開する画像を選択することを特徴とする撮像装置の制御方法。
【請求項９】
外部機器と通信する通信手段を備える撮像装置を制御するプログラムであって、
複数の起動時刻を保存する保存ステップと、
前記保存ステップで保存された前記起動時刻を表示する表示ステップと、
前記表示ステップで表示された前記起動時刻をユーザ操作により選択する起動時刻選択ステップと、
撮影した画像のうち、公開する画像を選択する画像選択ステップと、をコンピュータに実行させ、
前記画像選択ステップは、前記起動時刻選択ステップで選択された前記起動時刻に基づき前記公開する画像を選択することを特徴とするプログラム。
【請求項１０】
請求項９に記載のプログラムを格納した、
ことを特徴とするコンピュータで読み取り可能な記憶媒体。
【発明の詳細な説明】
【技術分野】
【０００１】
本発明は、外部機器と通信する通信手段を備える例えばデジタルカメラ等の撮像装置に関する。
【背景技術】
【０００２】
デジタルカメラ等の撮像装置には、外部機器と通信接続した後に撮影した画像のみを外部機器で閲覧できるようにしたものがある（特許文献１）。この撮像装置では、外部機器と通信接続する前に撮影した画像は外部機器で閲覧できないため、閲覧制限をかけることが可能である。
【先行技術文献】
【特許文献】
【０００３】
【特許文献１】特開２０１１−１７２８０９号公報
【発明の概要】
【発明が解決しようとする課題】
【０００４】
上記特許文献１の撮像装置では、外部機器との通信接続を忘れて撮影を行うと、外部機器から撮像装置で撮影した画像を閲覧することができず、また、自装置で撮影した画像に対して閲覧制限をかけることができないという問題がある。
【０００５】
そこで、本発明は、外部機器との通信接続前又は接続後に撮像装置で撮影された画像を公開するか非公開にするかを簡単な操作で設定することができる仕組みを提供することを目的とする。
【課題を解決するための手段】
【０００６】
上記目的を達成するために、本発明の撮像装置は、複数の起動時刻を保存する保存手段と、前記保存手段により保存された前記起動時刻を表示する表示手段と、前記表示手段に表示された前記起動時刻をユーザ操作により選択する起動時刻選択手段と、撮影した画像のうち、公開する画像を選択する画像選択手段と、を備え、前記画像選択手段は、前記起動時刻選択手段により選択された前記起動時刻に基づき前記公開する画像を選択することを特徴とする。
【発明の効果】
【０００７】
本発明によれば、外部機器との通信接続前又は接続後に撮像装置で撮影された画像を公開するか非公開にするかを簡単な操作で設定することができる。
【図面の簡単な説明】
【０００８】
【図１】本発明の撮像装置の第１の実施形態であるデジタルカメラと当該デジタルカメラに通信接続される画像処理装置とを示す概略斜視図である。
【図２】デジタルカメラの具体的な構成例を示すブロック図である。
【図３】画像処理装置の具体的な構成例を示すブロック図である。
【図４】デジタルカメラの記録媒体に保存されている画像を画像処理装置から閲覧する処理を示すシーケンス図である。
【図５】デジタルカメラの表示部に表示するメニュー画面の一例を示す図である。
【図６】デジタルカメラの記録媒体のディレクトリ構成の一例を示す図である。
【図７】デジタルカメラの記録媒体に記録されている静止画像ファイルのデータ構成例を示す図である。
【図８】図４のステップＳ４０７の処理終了後に画像処理装置の表示部に表示される画面の一例を示す図である。
【図９】本発明の撮像装置の第２の実施形態であるデジタルカメラの記録媒体に記録されている画像の一例を示す図である。
【図１０】デジタルカメラの表示部に表示されるメニュー画面（公開開始画像選択画面）を示す図である。
【図１１】デジタルカメラの動作例を説明するフローチャート図である。
【図１２】本発明の撮像装置の第３の実施形態であるデジタルカメラの表示部に表示されるメニュー画面の一例を示す図である。
【発明を実施するための形態】
【０００９】
以下、図面を参照して、本発明の実施形態を説明する。
【００１０】
（第１の実施形態）
図１は、本発明の撮像装置の第１の実施形態であるデジタルカメラと当該デジタルカメラに通信接続される画像処理装置とを示す概略斜視図である。
【００１１】
図１に示すように、本実施形態のデジタルカメラ１００は、通信部１１０及びアンテナ１１２を有する。通信部１１０及びアンテナ１１２と画像処理装置３００の通信部３３０及びアンテナ３３２を介して無線通信によりデジタルカメラ１００と画像処理装置３００との間で相互にコマンドや撮影画像を含むデータの送受信が可能である。画像処理装置３００は、本発明の外部機器の一例に相当する。
【００１２】
デジタルカメラ１００と画像処理装置３００間の無線通信は、ＩＥＥＥ８０２．１１規格準拠の無線ＬＡＮ、Ｂｌｕｅｔｏｏｔｈ（登録商標）等のスペクトラム拡散方式等により行われる。
【００１３】
デジタルカメラ１００は、レンズ鏡筒１００ａを通して撮像した画像データを着脱可能な記録媒体２００に記録し、記録した画像データを通信部１１０、アンテナ１１２、アンテナ３３２、通信部３３０を介して画像処理装置３００に送信する。画像処理装置３００は、受信した画像データを通信部３２６及びアンテナ３２８（図３参照）を介して他の画像処理装置或いは通信基地局に送信することができる。
【００１４】
次に、図２を参照して、デジタルカメラ１００の具体的な構成例を説明する。図２において、撮像素子１４は、撮影レンズ１０、及び絞り機能を備えるシャッタ１２を通過して結像した被写体像を光学変換してアナログ画像信号を出力する。Ａ／Ｄ変換器１６は、撮像素子１４のアナログ信号出力をディジタル信号に変換する。タイミング発生回路１８は、メモリ制御回路２２及びシステム制御回路５０により制御され、撮像素子１４、Ａ／Ｄ変換器１６、Ｄ／Ａ変換器２６にクロック信号や制御信号を供給する。
【００１５】
画像処理回路２０は、 Ａ／Ｄ変換器１６からのデータ或いはメモリ制御回路２２からのデータに対して所定の画素補間処理や色変換処理を行う。また、画像処理回路２０は、撮像した画像データに対して所定の演算処理を行い、得られた演算結果に基づいてＴＴＬ方式のＡＷＢ（オートホワイトバランス）処理も行う。システム制御回路５０は、画像処理回路２０の演算結果に基づいて露光制御回路４０、測距制御回路４２に対してＴＴＬ（スルー・ザ・レンズ）方式のＡＦ（オートフォーカス）処理、ＡＥ（自動露出）処理、ＥＦ（フラッシュプリ発光）処理を行う。
【００１６】
メモリ制御回路２２は、Ａ／Ｄ変換器１６、タイミング発生回路１８、画像処理回路２０、Ｄ／Ａ変換器２６、メモリ３０、及び圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介してメモリ３０に書き込まれる。
【００１７】
表示部２８は、ＬＣＤ等で構成され、画像や各種情報を表示する。表示部２８に表示されるものとしては、記録部２０２に保存されている画像や、画像処理装置３００と接続を行うための情報表示やメニューなどがある。メモリ３０は、撮影した静止画像や動画像を格納するための揮発性メモリ或いは不揮発性メモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０は、システム制御回路５０の作業領域としても使用することが可能である。
【００１８】
圧縮・伸長回路３２は、適応離散コサイン変換（ＡＤＣＴ）等により画像データを圧縮伸長する回路であり、メモリ３０に格納された画像を読み込んで圧縮処理或いは伸長処理を行い、処理を終えたデータをメモリ３０に書き込む。露光制御回路４０は、シャッタ１２を制御し、また、フラッシュ４８と連携することによりフラッシュ調光機能も有する。
【００１９】
測距制御回路４２は、撮影レンズ１０のフォーカシングを制御し、ズーム制御回路４４は、撮影レンズ１０のズーミングを制御する。バリア制御回路４６は、撮影レンズ１０を覆うバリア１０２の動作を制御する。フラッシュ４８は、ＡＦ補助光の投光機能やフラッシュ調光機能も有する。露光制御回路４０及び測距制御回路４２は、システム制御回路５０により、撮像した画像データを画像処理回路２０によって演算した演算結果に基づきＴＴＬ方式を用いて制御される。
【００２０】
システム制御回路５０は、カメラ１００全体の制御を司る。メモリ５２は、システム制御回路５０の動作用の定数、変数、プログラム等を記憶する。不揮発性メモリ５６は、電気的に消去・記録可能なメモリであり、例えばＥＥＰＲＯＭ等が用いられる。
【００２１】
メインスイッチ７２は、電源オン／オフを切り替え設定する。モードダイアル６０は、自動撮影モード、撮影モード、パノラマ撮影モード、再生モード、マルチ画面再生・消去モード、ＰＣ接続モード等の各機能モードを切り替え設定する。レリーズスイッチ（ＳＷ１）６２は、レリーズボタン１００ｂ（図１参照）操作途中でオンとなり、ＡＦ処理、ＡＥ処理、ＡＷＢ処理、ＥＦ処理等の動作開始を指示する。レリーズスイッチ（ＳＷ２）６４は、レリーズボタン１００ｂの操作完了でオンとなる。
【００２２】
レリーズスイッチ（ＳＷ２）６４がオンすることで、撮像素子１４から読み出した信号をＡ／Ｄ変換器１６、メモリ制御回路２２を介してメモリ３０に画像データを書き込む露光処理の動作開始がシステム制御回路５０に指示される。同様に、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理等の一連の処理の動作開始が指示される。
【００２３】
操作部７０は、各種ボタンやタッチパネル等で構成される。操作部７０には、メニューボタン、セットボタン、マクロボタン、マルチ画面再生改ページボタン、フラッシュ設定ボタン、セルフタイマーボタン、メニュー移動＋（プラス）ボタン、メニュー移動−（マイナス）ボタン、再生画像移動＋（プラス）ボタン等がある。また、操作部７０には、再生画像−（マイナス）ボタン、撮影画質選択ボタン、露出補正ボタン、日付／時間設定ボタンの他に、再生モード、マルチ画面再生・消去モード、ＰＣ接続モード等の各機能モードを設定する再生スイッチ等がある。
【００２４】
更に、操作部７０には、ワンショットＡＦモード、サーボＡＦモードを設定するＡＦモード設定スイッチ、表示部２８のオン／オフを設定するスイッチ、撮影直後に撮影した画像データを自動再生するクイックレビュー機能を設定するスイッチ等がある。更に、操作部７０には、ＪＰＥＧ圧縮の圧縮率を選択するため或いは撮像素子１４の出力信号をそのままデジタル化して記録媒体２００に記録するＲＡＷモードを選択する圧縮モードスイッチ等がある。
【００２５】
電源制御回路８０は、電池検出回路、ＤＣ−ＤＣコンバータ、通電するブロックを切り替えるスイッチ回路等により構成される。電源制御回路８０は、電池の装着の有無、電池の種類、電池残量の検出し、検出結果及びシステム制御回路５０の指示に基づいてＤＣ−ＤＣコンバータを制御し、必要な電圧を必要な期間、記録媒体２００を含む各部へ供給する。電源制御回路８０には、コネクタ８２，８４を介して電源８６が接続される。電源８６には、アルカリ電池やリチウム電池等の一次電池やＮｉＣｄ電池やＮｉＭＨ電池、Ｌｉ−ｉｏｎ電池等の二次電池、ＡＣアダプタ等が挙げられる。
【００２６】
Ｉ／Ｆ９０は、コネクタ９２を介して接続される記録媒体２００とのインタフェースである。記録媒体２００は、半導体メモリや磁気ディスク等から構成される記録部２０２、カメラ１００とのインタフェースであるＩ／Ｆ２０４、カメラ１００側のコネクタ９２に接続されるコネクタ２０６を有する。記録媒体着脱検知部９４は、コネクタ９２に記録媒体２００が装着されているか否かを検知する。
【００２７】
なお、本実施形態では、記録媒体２００を取り付けるインタフェース及びコネクタを１系統としているが、記録媒体２００を取り付けるインタフェース及びコネクタは、単数或いは複数、いずれの系統数を備える構成としてもよい。また、異なる規格のインタフェース及びコネクタを組み合わせて備える構成としてもよい。
【００２８】
インタフェース９０及びコネクタ９２としては、ＰＣＭＣＩＡカードやＣＦ（コンパクトフラッシュ（登録商標））カード、ＳＤカード、ＭＭＣ（マルチメディアカード）等の規格に準拠したものを用いてもよい。この場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することができる。これにより、他のコンピュータやプリンタ等の周辺機器との間で画像データや画像データに付属した管理情報を転送し合うことができる。
【００２９】
光学ファインダ１０４は、表示部２８による電子ファインダ機能を用いることなく、撮影を行うためのものである。通信部１１０は、ＩＥＥＥ８０２．１１規格準拠の無線ＬＡＮ通信、ＢｌｕｅＴｏｏｔｈ（登録商標）等のスペクトラム拡散通信、ＩｒＤＡ等の赤外線通信等の各種近距離高速データ通信機能を有する。アンテナ１１２は、通信部１１０によりカメラ１００を他の機器と接続する。ＲＴＣ（Ｒｅａｌ  Ｔｉｍｅ  Ｃｌｏｃｋ）１２０は、日付及び時刻を計時する。
【００３０】
次に、図３を参照して、画像処理装置３００の具体的な構成例を説明する。図３において、マイク３１０は、音声を電気信号に変換する。Ａ／Ｄ変換器３１２は、マイク３１０のアナログ出力信号をディジタル信号に変換する。メモリ制御回路３１４は、Ａ／Ｄ変換器３１２の出力データをメモリ３２０に書き込み、また、メモリ３２０から読み出したデータをＤ／Ａ変換器３１６に出力する。Ｄ／Ａ変換器３１６は、デジタル信号をアナログ信号に変換する。スピーカ３１８は、電気信号を音声信号に変換する。
【００３１】
メモリ３２０は、マイク３１０の出力音声やカメラ１００から送信された静止画像や動画像を格納する。メモリ３２０は、所定時間の音声や動画像、所定枚数の静止画像を格納するのに十分な記憶量を備えている。通信部３２６は、ＴＤＭＡ、ＣＤＭＡ、Ｗ−ＣＤＭＡ等の各種遠距離無線通信機能を有する。アンテナ３２８は、通信部３２６により画像処理装置３００を他の画像処理装置や通信基地局と回線接続する。通信部３３０は、ＩＥＥＥ８０２．１１規格準拠の無線ＬＡＮ、ＢｌｕｅＴｏｏｔｈ（登録商標）等のスペクトラム拡散通信、ＩｒＤＡ等の赤外線通信等の各種近距離高速データ通信機能を有する。アンテナ３３２は、通信部３３０により画像処理装置３００を他の機器と接続する。
【００３２】
システム制御回路３５０は、画像処理装置３００全体の制御を司る。メモリ３５２は、システム制御回路３５０の動作用の定数、変数、プログラム等を記憶する。不揮発性メモリ３５４は、電気的に消去・記録可能なメモリであり、例えばＥＥＰＲＯＭ等が用いられる。
【００３３】
表示部３６０は、ＬＣＤ等で構成され、メモリ３２０に保存されている静止画像データや動画像データを表示する。また、表示部３６０は、システム制御回路５０の指示により、不揮発性メモリ３５４に保存されているアイコンやメニューなどのＧＵＩ表示を行うことができる。更に、表示部３６０は、タッチパネルを有し、表示されているアイコンやカーソルを指などでタッチすることにより、画像の表示、電話番号入力、各種設定を行うことができる。
【００３４】
操作部３６２は、システム制御回路３５０の各種の動作指示を入力するためのスイッチやダイアル、視線検知によるポインティング、音声認識装置等の単数或いは複数の組み合わせで構成される。操作部３６２では、画像処理装置３００の電源オン／オフ、通話の実行（オフフック）／停止（オンフック）、電話番号入力、電話番号検索、通信モード切り替え、通話音量の調節等の操作を行うことができる。
【００３５】
電源制御回路３８０は、電池検出回路、ＤＣ−ＤＣコンバータ、通電するブロックを切り替えるスイッチ回路等により構成される。電源制御回路３８０は、電池の装着の有無、電池の種類、電池残量の検出し、検出結果及びシステム制御回路３５０の指示に基づいてＤＣ−ＤＣコンバータを制御し、必要な電圧を必要な期間、各部へ供給する。電源制御回路３８０には、コネクタ３８２，３８４を介して電源３８６が接続される。電源３８６には、アルカリ電池やリチウム電池等の一次電池やＮｉＣｄ電池やＮｉＭＨ電池、Ｌｉ−ｉｏｎ電池等の二次電池、ＡＣアダプタ等が挙げられる。
【００３６】
次に、図４乃至図８を参照して、上記構成のデジタルカメラ１００の動作例について説明する。図４は、デジタルカメラ１００の記録媒体２００に保存されている画像を画像処理装置３００から閲覧する処理を示すシーケンス図である。図４のデジタルカメラ１００側の処理は、不揮発性メモリ５６等に記憶されたプログラムがメモリ５２に展開されてシステム制御回路５０により実行される。また、図４の画像処理装置３００側の処理は、不揮発性メモリ３５４等に記憶されたプログラムがメモリ３５２に展開されてシステム制御回路３５０により実行される。なお、図４では、画像処理装置３００として小型携帯端末としてのスマートフォンを想定している。
【００３７】
まず、ステップＳ４０１では、デジタルカメラ１００側のシステム制御回路５０は、ユーザ操作により電源オンされると、ＲＴＣ１２０から現在時刻を取得し、取得した時間を起動時間として不揮発性メモリ５６のデータベースに保存する。ここでの起動時間の保存処理では、たとえば２０回分などの所定回数の起動時間を保存することが可能である。システム制御回路５０は、所定回数以上、デジタルカメラ１００を起動したときは、最も古い起動時間を上書きする。
【００３８】
ステップＳ４０２では、デジタルカメラ１００側のシステム制御回路５０は、画像公開の設定を行う。ここでの画像公開設定は、記録媒体２００に保存されている画像のうち、どの画像を公開するかをユーザ操作による指示により決定する。なお、画像公開設定の詳細については、図５及び図６を用いて後述する。
【００３９】
ステップＳ４０３では、デジタルカメラ１００側のシステム制御回路５０は、画像処理装置３００との間で通信接続処理を行い、接続を確立する。ここでの接続処理については公知であるため、説明を省略する。なお、接続方法としては、無線ＬＡＮアクセスポイントを必要としないアドホックモードであっても、無線ＬＡＮアクセスポイントを経由して接続を行うインフラストラクチャモードでもどちらでもよい。
【００４０】
ステップＳ４０４では、デジタルカメラ１００と画像処理装置３００との通信接続が確立すると、画像処理装置３００側のシステム制御回路３５０は、デジタルカメラ１００に対して閲覧可能な画像ファイルのＦｉｌｅＩＤの要求を送信する。
【００４１】
ステップＳ４０５では、デジタルカメラ１００側のシステム制御回路５０は、ステップＳ４０４の要求に応答して、ＦｉｌｅＩＤと閲覧可能な画像ファイルの全ファイル数を画像処理装置３００に送信する。このＦｉｌｅＩＤは、画像ごとにユニークな値が割り当てられており、画像を特定するのに用いられるＩＤである。ＦｉｌｅＩＤの割り当て方法については、図６を用いて後述する。
【００４２】
ステップＳ４０６では、画像処理装置３００側のシステム制御回路３５０は、ステップＳ４０５で返信されたＦｉｌｅＩＤを持つサムネイル画像をデジタルカメラ１００に対して要求する。このとき、仮に画像処理装置３００の表示部３６０に一度に表示可能なサムネイルの数が９枚で、ステップＳ４０５で返信された閲覧可能ファイル数が１００枚であったときは、画像処理装置３００が取得するサムネイルは９枚である。
【００４３】
ステップＳ４０７では、デジタルカメラ１００側のシステム制御回路５０は、ステップＳ４０６の要求を受けて、要求されたＦｉｌｅＩＤを持つ９枚のサムネイル画像を画像処理装置３００に送信する。これにより、画像処理装置３００の表示部３６０に９枚のサムネイル画像が表示される。なお、表示部３６０でのサムネイル画像の画面例については、図８を用いて後述する。
【００４４】
ステップＳ４０８では、画像処理装置３００側のシステム制御回路３５０は、表示部３６０に表示された９枚のサムネイル画像のうち、ユーザが選択したＦｉｌｅＩＤを持つ本画像をデジタルカメラ１００に対して要求する。
【００４５】
ステップＳ４０９では、デジタルカメラ１００側のシステム制御回路５０は、ステップＳ４０８の要求を受けて、要求されたＦｉｌｅＩＤを持つ本画像を画像処理装置３００に送信する。これにより、画像処理装置３００の表示部３６０に本画像が表示される。
【００４６】
図５（ａ）は、図４のステップＳ４０２で画像公開設定を行う際にデジタルカメラ１００の表示部２８に表示するメニュー画面の一例を示す図である。
【００４７】
図４のステップＳ４０２では、デジタルカメラ１００のシステム制御回路５０は、図５（ａ）に示すように、ユーザが画像をすべて公開するか（５０１）、あるいは起動時刻から選択するか（５０２）を選択するメニュー画面を表示部２８に表示する。
【００４８】
システム制御回路５０は、図５（ａ）に示すメニュー画面でユーザが「すべて公開する」５０１を選択したときは、記録媒体２００に保存されている全画像を画像処理装置３００で閲覧できるように設定する。
【００４９】
一方、図５（ａ）のメニュー画面で「起動時刻から選択」５０２をユーザが選択したときは、システム制御回路５０は、図５（ｂ）に示す起動時刻選択のメニュー画面を表示部２８に表示し、ユーザに起動時刻を選択させる。システム制御回路５０は、図５（ｂ）に示すメニュー画面で選択された起動時刻以降に撮影された画像に対してのみ、画像処理装置３００が閲覧できるように設定する。図５（ｂ）では、２０１１年１０月３０日１４：００以降に撮影された画像に対してのみ画像処理装置３００で閲覧できるようにユーザ操作により選択指示されている。
【００５０】
図６は、デジタルカメラ１００の記録媒体２００のディレクトリ構成の一例を示す図である。図６に示すように、ルートディレクトリには、ＤＣＩＭディレクトリ（６０１）が記録され、ＤＣＩＭディレクトリ（６０１）には、サブディレクトリ１００ＧＡＺＯＵ（６０２）が記録されている。また、サブディレクトリ１００ＧＡＺＯＵ（６０２）には、静止画像ファイルＩＭＧ＿０００１．ｊｐｇ（６０３）〜ＩＭＧ＿０９９０．ｊｐｇ（６１５）が記録されており、静止画像ファイルの右側には、撮影時刻が記録されている。
【００５１】
図６に示すディレクトリ構成は、カメラファイルシステム規格であるＤＣＦ規格に則っている。そのため、画像が１枚撮影されるごとに作成される画像ファイルのファイル名のナンバーは、１ずつ大きくなっていく。具体的には、ＩＭＧ＿０００１．ｊｐｇの次に撮影された画像の画像ファイル名は、ＩＭＧ＿０００２．ｊｐｇのようになる。
【００５２】
また、図６に示すディレクトリ構成では、デジタルカメラ１００のシステム制御回路５０は、ＩＭＧ＿０００１．ｊｐｇ（６０３）〜ＩＭＧ＿０９９０．ｊｐｇ（６１５）に対して、ＦｉｌｅＩＤを割り当てる。割り当てる値は、ＤＣＩＭ以下のディレクトリ名に付いている数字を１０００倍した値に、ファイル名に付いている数字を足した数である。
【００５３】
具体例として、図６のＩＭＧ＿０００１．ｊｐｇ（６０３）は、１００ＧＡＺＯＵ（６０２）の１００を１０００倍した値に０００１を足した１００００１（１００×１０００＋０００１）である。また、図６のＩＭＧ＿０９９１．ｊｐｇ（６１５）のＦｉｌｅＩＤは、１０００９９１（１００×１０００＋０９９１）である。
【００５４】
図６に示す記録媒体２００のディレクトリ構成で、かつ選択された起動時刻が図５（ｂ）の場合、システム制御回路５０は、図４のステップＳ４０５において、画像処理装置３００に対して２０１１年１０月３０日１４：００以降に撮影された画像のみを送信する。
【００５５】
つまり、システム制御回路５０は、図６の線Ｐで囲まれた画像ファイルＩＭＧ＿０９８３．ｊｐｇ（６０７）〜ＩＭＧ＿０９９１．ｊｐｇ（６１５）のＦｉｌｅＩＤを画像処理装置３００に返信する。また、システム制御回路５０は、閲覧可能な画像ファイルの全ファイル数も同様に、２０１１年１０月３０日１４：００以降に撮影された画像の枚数である９枚を返信する。
【００５６】
そのため、画像処理装置３００は、図４のステップＳ４０６やステップＳ４０８において、２０１１年１０月３０日１４：００以降に撮影されたＦｉｌｅＩＤを持つ画像ファイルのサムネイル／本画像しか閲覧できなくなる。換言すれば、図５（ｂ）のメニュー画面で選択指定された時刻以前に撮影された画像は、画像処理装置３００では閲覧できない。
【００５７】
図７は、デジタルカメラ１００の記録媒体２００に記録されている静止画像ファイルのデータ構成例を示す図である。図７に示すように、画像ファイル７０１は、先頭に画像ファイルの開始を示すマーカ（ＳＯＩ）７０２を有し、その後にヘッダ部に相当するアプリケーションマーカ（ＡＰＰ１）７０３を有する。また、画像ファイル７０１は、ＤＱＴ７１２，ＤＨＴ７１３，ＳＯＦ７１４，ＳＯＳ７１５，Ｃｏｍｐｒｅｓｓｅｄ  ｄａｔａ７１６，ＥＯＩ７１７を有する。
【００５８】
アプリケーションマーカ（ＡＰＰ１）７０３は、次の（１）乃至（６）のデータから構成される。
【００５９】
（１）サイズ（ＡＰＰ１  Ｌｅｎｇｔｈ）７０４
（２）アプリケーションマーカの識別コード（ＡＰＰ１  Ｉｄｅｎｔｉｆｉｅｒ  Ｃｏｄｅ）７０５
（３）画像データの作成日時（Ｄａｔｅ  Ｔｉｍｅ）７０６、
（４）画像データが生成された日時（Ｄａｔｅ  Ｔｉｍｅ  Ｏｒｉｇｉｎａｌ）７０７
（５）その他の撮影情報７０９
（６）サムネイル画像（Ｔｈｕｍｂｎａｉｌ  Ｄａｔａ）７１０
図７に示す画像ファイルのデータ構成によって、画像ファイルの撮影時刻やサムネイル画像を取得することが可能となっている。
【００６０】
図８は、図４のステップＳ４０７の処理終了後に画像処理装置３００の表示部３６０に表示される画面の一例を示す図である。なお、図８の画像６０７〜６１５は図６の画像ファイルＩＭＧ＿０９８３．ｊｐｇ（６０７）〜ＩＭＧ＿０９９１．ｊｐｇ（６１５）のＦｉｌｅＩＤと同一である。
【００６１】
たとえばユーザが画像ファイル６１５を表示している領域を指８０１でタッチ操作すると、図４のステップＳ４０８では、画像処理装置３００のシステム制御回路３５０は、タッチ操作されたＦｉｌｅＩＤのデジタルカメラ１００に本画像を要求する。そして、デジタルカメラ１００のシステム制御回路５０は、画像ファイル６１５を画像処理装置３００に送信し、これにより、画像処理装置３００の表示部３６０に画像ファイル６１５が拡大して表示される。
【００６２】
以上説明したように、本実施形態では、画像処理装置３００との通信接続前又は通信接続後にデジタルカメラ１００で撮影された画像を公開するか非公開にするかを簡単な操作で設定することができる。たとえば公園で会った人に、共に過ごした時間内に撮影した画像のみを簡単な設定で公開することができる。一方で、公園で会う前に撮影した画像は相手に非公開にすることができる。
【００６３】
なお、本実施形態では、デジタルカメラ１００を起動したときの時刻を不揮発性メモリ５６のデータベースに保存する場合を例示したが、画像を撮影する撮影モードで起動したときの起動時刻のみを不揮発性メモリ５６のデータベースに保存するようにしてもよい。つまり、画像を見るだけの再生モードで起動したときの時刻は、不揮発性メモリ５６のデータベースに保存しないようにする。このように構成することで、撮影を行わなかったときの時刻が保存／表示されないため、比較的少ない容量の不揮発性メモリ５６で済み、また、ユーザにとっても不要な起動時刻が表示されなくなるため、使い勝手が良い。
【００６４】
また、本実施形態では、図５（ｂ）のメニュー画面で選択指定された時刻以降に撮影された画像のみを公開するようにしているが、選択指定された時刻以前に撮影された画像のみを公開するようにしてもよい。
【００６５】
（第２の実施形態）
次に、図９乃至図１１を参照して、本発明の撮像装置の第２の実施形態であるデジタルカメラについて説明する。なお、上記第１の実施形態に対して重複又は相当する部分については、図及び符号を流用して説明する。
【００６６】
本実施形態では、デジタルカメラ１００を撮影モードで起動し、さらに画像を撮影したときの最初の撮影画像を公開開始画像とする。
【００６７】
デジタルカメラ１００の起動時刻が図５（ｂ）に示す時刻であったとする。つまり、２０１１年１０月１０日１２：００（５０３）、２０１１年１０月１０日１８：００（５０４）、２０１１年１０月３０日１３：５５（５０５）、２０１１年１０月３０日１４：００（５０６）である。
【００６８】
このとき、デジタルカメラ１００の記録媒体２００に記録されている画像の一例を図９に示す。図９において、線９０１で囲った部分が２０１１年１０月１０日１２：００に電源オンしてから、電源オフするまでに撮影した画像である。つまり、ＩＭＧ＿０００１．ｊｐｇ（６０３）の１枚だけ撮影してデジタルカメラ１００の電源をオフしている。このとき、ＩＭＧ＿０００１．ｊｐｇ（６０３）の撮影時刻をデジタルカメラ１００の不揮発性メモリ５６のデータベースに保存する。
【００６９】
線９０２で囲った部分は、２０１１年１０月１０日１８：００にデジタルカメラ１００を電源オンしてから、電源オフするまでに撮影した画像（６０４〜６０７）である。この場合、起動して最初に撮影された画像であるＩＭＧ＿０００２．ｊｐｇ（６０４）の撮影時刻をデジタルカメラ１００の不揮発性メモリ５６のデータベースに保存する。
【００７０】
線９０３で囲った部分は、２０１１年１０月３０日１４：００にデジタルカメラ１００を電源オンしてから、電源オフするまでに撮影した画像（６０７〜６１５）である。この場合、起動して最初に撮影された画像であるＩＭＧ＿０９８３．ｊｐｇ（６０７）の撮影時刻をデジタルカメラ１００の不揮発性メモリ５６のデータベースに保存する。
【００７１】
図１０は、図５（ｂ）に示すメニュー画面に代えてデジタルカメラの表示部２８に表示されるメニュー画面（公開開始画像選択画面）を示す図である。図１０において、領域１００１は、図９の線９０１で囲った部分に対応し、最初に撮影した画像ＩＭＧ＿０００１．ｊｐｇ（６０３）を選択するタッチボタンであり、撮影時刻とともにサムネイル画像を表示している。
【００７２】
領域１００２は、図９の線９０２で囲った部分に対応し、最初に撮影した画像ＩＭＧ＿０００２．ｊｐｇ（６０４）を選択するタッチボタンであり、撮影時刻とともにサムネイル画像を表示している。
【００７３】
領域１００３は、図９の線９０３で囲った部分に対応し、最初に撮影した画像ＩＭＧ＿０９８３．ｊｐｇ（６０７）を選択するタッチボタンであり、撮影時刻とともにサムネイル画像を表示している。
【００７４】
そして、領域１００３のタッチボタンが操作されると、システム制御回路５０は、図４のステップＳ４０５で、不揮発性メモリ５６のデータベースを参照し、図９の線９０３で囲った画像ファイル（６０８〜６１５）のＦｉｌｅＩＤを画像処理装置３００に送信する。
【００７５】
また、領域１００２のタッチボタンが操作されると、システム制御回路５０は、図４のステップＳ４０５で、図９の線９０２，９０３で囲った画像ファイル（６０４〜６１５）のＦｉｌｅＩＤを画像処理装置３００に送信する。結果として、図９の線９０２で囲った部分で最初に撮影された画像ファイルの撮影時刻以降の撮影画像のすべてが画像処理装置３００に送信された公開されることになる。
【００７６】
同様に、領域１００１のタッチボタンが操作されると、システム制御回路５０は、図４のステップＳ４０５で、図９の線９０１，９０２，９０３で囲った部分の画像ファイル（６０３〜６１５）のＦｉｌｅＩＤを画像処理装置３００に送信する。
【００７７】
図１１は、上記構成のデジタルカメラ１００の動作例を説明するフローチャート図である。図１１での各処理は、不揮発性メモリ５６等に記憶されたプログラムがメモリ５２に展開されてシステム制御回路５０により実行される。
【００７８】
ステップＳ１１０１では、システム制御回路５０は、電源オン時に１枚目フラグを１にし、ステップＳ１１０２に進む。
【００７９】
ステップＳ１１０２では、システム制御回路５０は、モードダイアル６０、操作部７０又はメインスイッチ７２でのユーザ操作に応じて処理を振り分ける。具体的には、システム制御回路５０は、電源オフの操作がされると、電源をオフして処理を終了し、撮影が選択されたときは、ステップＳ１１０３に進み、画像処理装置３００に画像を公開するための通信接続が選択されたときは、ステップＳ１１０９に進む。また、システム制御回路５０は、電源オフ、撮影、及び通信接続以外が選択されたときは、ステップＳ１１１５で要求に応じた処理を実行してステップＳ１１０２に戻る。
【００８０】
ステップＳ１１０３では、システム制御回路５０は、ＲＴＣ１２０から現在時刻を取得しメモリ５２に保存し、ステップＳ１１０４に進む。
【００８１】
ステップＳ１１０４では、システム制御回路５０は、撮影動作を行い、ステップＳ１１０５に進む。
【００８２】
ステップＳ１１０５では、システム制御回路５０は、撮影画像の画像ファイルを作成し記録媒体２００に書き込み、システム制御回路５０は、１１０６に進む。ここでの記録媒体２００のディレクトリ構成は、前述した図６及び図９と同様である。また、画像ファイルのデータ構成については、前述した図７と同様である。なお、図７のＤａｔｅ  Ｔｉｍｅ（７０６）、及びＤａｔｅ  Ｔｉｍｅ  Ｏｒｉｇｉｎａｌ（７０７）には、ステップＳ１１０３で取得した時刻を記録する。
【００８３】
ステップＳ１１０６では、システム制御回路５０は、１枚目フラグの値を判別し、１でなければ、ステップＳ１１０２に戻り、１枚目フラグが１のときは、起動後に最初に撮影された画像であると判定して、ステップＳ１１０７に進む。
【００８４】
ステップＳ１１０７では、システム制御回路５０は、ステップＳ１１０３でメモリ５２に保存した時刻を不揮発性メモリ５６のデータベースに記録し、ステップＳ１１０８に進む。
【００８５】
ステップＳ１１０８では、システム制御回路５０は、１枚目フラグを０にして、ステップＳ１１０２に戻る。以降に撮影が行われたときは、１枚目フラグが０になっているため、デジタルカメラ１００を電源オフし、もう一度撮影を行うまでは、ステップＳ１１０７でデータベースに時刻を記録する処理が行われない。
【００８６】
一方、ステップＳ１１０９では、システム制御回路５０は、不揮発性メモリ５６のデータベース読み出し処理を行う。具体的には、システム制御回路５０は、起動してから最初に撮影された時刻と画像を不揮発性メモリ５６のデータベースから取得し、ステップＳ１１１０に進む。
【００８７】
ステップＳ１１１０では、システム制御回路５０は、図１０に示すメニュー画面を作成して、作成したメニュー画面を表示部２８に表示し、ステップＳ１１１１に進む。
【００８８】
ステップＳ１１１１では、システム制御回路５０は、表示部２８のメニュー画面でのユーザ操作に応じて画像処理装置３００に送信するＦｉｌｅＩＤを決定し、ステップＳ１１１２に進む。ここで送信するＦｉｌｅＩＤの決定方法は、図９及び図１０を用いて説明したとおりである。
【００８９】
ステップＳ１１１２では、システム制御回路５０は、画像処理装置３００からＦｉｌｅＩＤ取得要求を待ち、ステップＳ１１３で要求を受信すると、要求に応じたＦｉｌｅＩＤを送信して、ステップＳ１１１４に進む。
【００９０】
ステップＳ１１１４では、システム制御回路５０は、画像処理装置３００からの要求に応じてサムネイル画像や本画像を送信し、ステップＳ１１０２に戻る。その他の構成、及び作用効果は、上記第１の実施形態と同様である。
【００９１】
なお、本実施形態では、図１０に示すメニュー画面の領域１００１〜１００３のうち一つを選択し、選択した領域で最初に撮影された画像の撮影時刻以降の撮影画像を公開するようにしているが、選択した領域の画像のみを公開するようにしてもよい。
【００９２】
例えば図１０に示すメニュー画面で領域１００１と領域１００２が選択操作された場合には、不揮発性メモリ５６のデータベースを参照して、図９の線９０１，９０２で囲まれた画像ファイルのＦｉｌｅＩＤを画像処理装置３００に送信するようにしてもよい。同様に、図１０に示すメニュー画面で領域１００１と領域１００３が選択操作された場合には、図９の線９０１，９０３で囲まれた画像ファイルのＦｉｌｅＩＤを画像処理装置３００に送信するようにすればよい。更には、図１０に示すメニュー画面の領域１００１〜１００３のうち、一つの領域、例えば領域１００２だけが選択操作された場合には、図９の線９０２で囲まれた画像ファイルのＦｉｌｅＩＤのみを画像処理装置３００に送信する。このようにすると、特定の時間にデジタルカメラ１００を起動してから電源オフするまでに撮影した画像のみを、画像処理装置３００に公開することが可能となる。
【００９３】
また、本実施形態では、図１０に示すメニュー画面で選択した領域の最初に撮影された画像の撮影時刻以降の撮影画像を公開するようにしているが、選択した領域の起動時刻帯のみの画像を公開するようにしてもよい。更には、選択した領域の最初の撮影時刻以前又は起動時刻以前に撮影された画像のみを公開するようにしてもよい。
【００９４】
（第３の実施形態）
次に、図１２を参照して、本発明の撮像装置の第３の実施形態であるデジタルカメラについて説明する。なお、上記第１又は第２の実施形態に対して重複又は相当する部分については、図及び符号を流用して説明する。
【００９５】
本実施形態では、ユーザが設定した起動時刻や撮影時刻をデジタルカメラ１００の不揮発性メモリ５６のデータベースに記録しておき、その後に画像処理装置３００と通信接続されたときに、データベースに記録された起動時刻や撮影時刻を反映させる。
【００９６】
本実施形態では、図５に示すメニュー画面に代えて図１２に示すメニュー画面をデジタルカメラ１００の表示部２８に表示する。図１２のメニュー画面の「すべて公開する」１２０１は、図５の「すべて公開する」５０１と同じである。また、図１２のメニュー画面で「撮影開始画像から選択」１２０２がユーザ操作により選択された場合は、図１０に示すメニュー画面を表示部２８に表示する。
【００９７】
一方、図１２に示すメニュー画面で「前回の設定を継続」１２０３がユーザ操作により選択された場合は、システム制御回路５０は、前回の接続設定をそのまま継続する。例えば、図１０に示すメニュー画面において、画像処理装置３００との前回の通信接続時にユーザが領域１００２を選択し、図９のＩＭＧ＿０９８３．ｊｐｇ（６０７）の撮影時刻以降に撮影された画像を画像処理装置３００に公開するように設定されていたとする。そして、その後、電源オフなどにより画像処理装置３００との通信接続が切断され、再接続されたとき、図１２に示すメニュー画面で「前回の設定を継続」１２０３がユーザ操作により選択されたとする。
【００９８】
この場合、システム制御回路５０は、図４のステップＳ４０５において、前回の接続時と同様に、ＩＭＧ＿０９８３．ｊｐｇ（６０７）の撮影時刻以降に撮影された画像のＦｉｌｅＩＤを画像処理装置３００に送信する。
【００９９】
このように構成することによって、ユーザは、デジタルカメラ１００が起動されるごとに、毎回、画像や起動時刻を選択操作する必要がなくなるため、画像の公開設定の手間を省くことが可能となる。その他の構成、及び作用効果は、上記第１の実施形態と同様である。
【０１００】
なお、上記の説明では、起動時刻を不揮発性メモリ５６のデータベースに保存する場合を例示したが、起動後の最初の撮影時刻を記録するようにしても良い。
【０１０１】
なお、本発明は、上記各実施形態に例示したものに限定されるものではなく、本発明の要旨を逸脱しない範囲において適宜変更可能である。
【０１０２】
例えば、上記各実施形態では、デジタルカメラ１００で撮影した画像をデジタルカメラ１００と通信接続された画像処理装置３００に公開する場合の画像選択等について例示したが、デジタルカメラ１００で表示する場合の画像選択等に本発明を適用してもよい。
【０１０３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。ネットワーク又は各種記憶媒体を介して取得したソフトウェア（プログラム）をパーソナルコンピュータ（ＣＰＵ，プロセッサ）にて実行することでも実現できる。
【符号の説明】
【０１０４】
２８  表示部
５０  システム制御回路
５６  不揮発性メモリ
１００  デジタルカメラ
１１０  通信部
１１２  アンテナ
２００  記録媒体
３００  画像処理装置
【図１】
2016010044.tif 000003
【図２】
2016010044.tif 000004
【図３】
2016010044.tif 000005
【図４】
2016010044.tif 000006
【図５】
2016010044.tif 000007
【図６】
2016010044.tif 000008
【図７】
2016010044.tif 000009
【図８】
2016010044.tif 000010
【図９】
2016010044.tif 000011
【図１０】
2016010044.tif 000012
【図１１】
2016010044.tif 000013
【図１２】
2016010044.tif 000014